(57)【要約】【解決すべき課題】特殊な形状にする必要が無く、又、設置方法を選ばずに設置することが出来、かつＶＳＷＲの低下を防止することができる防風装置を提供すること。【課題を解決するための手段】防風板１の表面のうち、パラボラアンテナ３から放射される電波が反射する部分に、電波を乱反射させる乱反射層２を設ける。乱反射層２は、防風板の表面を切欠して溝を形成して設ける。形成される溝の間隔は、放射される電波の波長λの１／１６以上、更に好ましくは１／８以上がより好ましい。【選択図】  図２
2004172937.tif 000002
【特許請求の範囲】
【請求項１】
パラボラアンテナを防風する防風装置であって、
パラボラアンテナから放射される電波を乱反射させる乱反射層を防風装置の表面に設けたことを特徴とする防風装置。
【請求項２】
前記防風装置が防風板であることを特徴とする請求項１に記載の防風装置。
【請求項３】
前記乱反射層は、防風装置の表面を切欠して形成することにより設けられることを特徴とする請求項１又は請求項２に記載の防風装置。
【請求項４】
前記乱反射層は、防風装置の表面に微小粉末を含んだ塗料により塗装することにより形成することを特徴とする請求項１又は請求項２に記載の防風装置。
【請求項５】
前記乱反射層の凹凸部の間隔が、放射される電波の波長の１／８以上であることを特徴とする請求項１から請求項４のいずれかに記載の防風装置。
【発明の詳細な説明】
【０００１】
【発明が属する技術分野】
パラボラアンテナを風から防ぐ防風装置の発明に関し、特に防風装置の形状や設置場所が制限されず、更にパラボラアンテナのＶＳＷＲ（ｖｏｌｔａｇｅ  ｓｔａｎｄｉｎｇ  ｗａｖｅ  ｒａｔｉｏ）を改善する防風装置に関する。
【０００２】
【従来の技術】
従来、高所に設置されたパラボラアンテナは強風を受けるため、その風を防ぐためにパラボラアンテナの放射方向に対向して防風板等の防風装置が設置される。これら防風装置は、誘電率や強度等の観点よりＦＲＰ製の防風板や、シートレドーム等が用いられる。
【０００３】
一方、防風板の設置は、防風という効果を最大限に引き出す為にはパラボラアンテナの放射方向に対向して垂直に防風板を設置することが望ましい。
【０００４】
しかし、パラボラアンテナ３から放射される電波は、図６に示される如く、リアクティブ近傍界領域では直進性が強い。従って、リアクティブ近傍界領域に、防風板１がパラボラアンテナの放射方向に対向して垂直に設置さていると、図７に示される如く、パラボラアンテナから放射される電波が防風板１に反射されてＶＳＷＲを低下させてしまう。そこで、防風板を斜めに傾斜させて設置したり、防風板の形状を傘型にしたりしてＶＳＷＲの低下を防いでいた。
【０００５】
【発明が解決しようとする課題】
しかしながら、ＶＳＷＲの低下の防止の為に、防風板を斜めに傾斜させて設置したり、防風板の形状を傘型にしたりすることは、パラボラアンテナ又は防風板の設置に制限をきたしていた。
【０００６】
同様に、シートレドームのようなレドームも、ＶＳＷＲの低下を防止するためにその形状が制限されていた。
【０００７】
そこで、本発明は、特殊な形状にする必要が無く、又、設置方法を選ばずに設置することが出来、かつＶＳＷＲの低下を防止することができる防風装置を提供することを目的とする。
【０００８】
【課題を解決するための手段】
上記目的を達成する第１の発明は、パラボラアンテナを防風する防風装置であって、
パラボラアンテナから放射される電波を乱反射させる乱反射層を防風装置の表面に設けたことを特徴とする。
【０００９】
上記目的を達成する第２の発明は、前記防風装置が防風板であることを特徴とする。
【００１０】
上記目的を達成する第３の発明は、上記第１の発明又は第２の発明において、前記乱反射層は、防風装置の表面を切欠して形成することにより設けられることを特徴とする。
【００１１】
上記目的を達成する第４の発明は、上記第１の発明又は第２の発明において、前記乱反射層は、防風装置の表面に微小粉末を含んだ塗料により塗装することにより形成することを特徴とする。
【００１２】
上記目的を達成する第５の発明は、上記第１から第４の発明のいずれかにおいて、前記乱反射層の凹凸部の間隔が、放射される電波の波長の１／８以上であることを特徴とする。
【００１３】
上記本発明によれば、防風装置に設けられた乱反射層に反射した電波は乱反射する為、反射波とパラボラアンテナからの進行波とが打ち消しあうことがなくなり、ＶＳＷＲが向上する。
【００１４】
【発明の実施の形態】
本発明の実施の形態を説明する。
【００１５】
第１の実施の形態では、ＦＲＰを用いた防風板を例にして説明する。
【００１６】
図１は防風板２の全体の概略図である。図１に示される如く、防風板１の表面のうち、パラボラアンテナ３から放射される電波が反射する部分に、電波を乱反射させる乱反射層２が設けられている。
【００１７】
この乱反射層２は、防風板の表面をカッター等の切断手段により、横方向と縦方向に対してそれぞれ切欠して溝を形成して設けられる。
【００１８】
形成される溝の間隔は、放射される電波の波長λの１／１６以上、更に好ましくは１／８以上がより好ましい。例えば、１０ＧＨｚの電波では波長λは、
波長λ＝３×１０８／１０×１０９＝０．０３ｍ＝３０ｍｍ
となる。
【００１９】
従って、溝の間隔は３０／８＝３．７５ｍｍとなる。
【００２０】
図２は上述の例により計算された溝の間隔で形成された乱反射層２の拡大図である。図２に示される如く、溝の間隔が３．７５ｍｍである。
【００２１】
尚、溝の間隔の下限値であるが、放射される電波の波長λの１／１６以上としたのは、波長λに対してあまり溝の間隔が狭いと、平面と変わらなくなり、電波を乱反射する効果が薄れるからである。
【００２２】
以上の如く、放射される電波は、防風板１の乱反射層２により、乱反射されてＶＳＷＲの低下を防止することができる。
【００２３】
尚、上述の実施の形態では、溝の形をＶ字形に形成したが、図３に示す如く、溝の形を概直角三角形に形成しても同様な効果が得られる。この場合、電波は一方向に反射される。
【００２４】
本発明の第２の実施の形態を説明する。
【００２５】
上述した実施の形態では、防風板の表面をカッター等の切断手段により切欠して乱反射層２を設けた。
【００２６】
本実施の形態では、乱反射層２の別の態様として、防風板１の表面にアルミ粉末等を含んだメタリック塗料を施すことにより、図４に示される如く、防風板１の表面に微小凹凸部を設けて乱反射層２を形成することを特徴とする。
【００２７】
このような方法であっても、上述した実施の形態と同様に乱反射層２により、電波が乱反射してＶＳＷＲの低下を防止することができる。
【００２８】
第３の実施の形態を説明する。
【００２９】
第３の実施の形態は、防風板の表面をカッター等の切断手段により切欠して乱反射層を設けるが、上述した第１の実施の形態とは異なり、図５に示される如く、不規則な方向及び溝の深さで乱反射層を設ける。
【００３０】
このような方法であっても、上述した実施の形態と同様に乱反射層２により、電波が乱反射してＶＳＷＲの低下を防止することができる。
【００３１】
【発明の効果】
乱反射層が放射電波を乱反射させるため、防風板等を傘型等の特殊な形状に加工する必要がなく、加工や設置が簡単な板状にすることができ、コストの削減が図れる。
【００３２】
また、特に、防風板の場合、傾斜させて設置させる必要が無く、パラボラアンテナの放射方向に対向して垂直に防風板を設置することができるので、防風板の目的であるパラボラアンテナに風があたるのを防ぐという効果を最大限達成することができる。
【図面の簡単な説明】
【図１】図１は本発明の実施の形態を説明する為の図である。
【図２】図２は本発明の実施の形態を説明する為の図である。
【図３】図３は本発明の実施の形態を説明する為の図である。
【図４】図４は本発明の第２の実施の形態を説明する為の図である。
【図５】図５は本発明の第３の実施の形態を説明する為の図である。
【図６】図６は従来の技術を説明する為の図である。
【図７】図７は従来の技術を説明する為の図である。
【符号の説明】
１    防風板
２    乱反射層
３    パラボラアンテナ
【図１】
2004172937.tif 000003
【図２】
2004172937.tif 000004
【図３】
2004172937.tif 000005
【図４】
2004172937.tif 000006
【図５】
2004172937.tif 000007
【図６】
2004172937.tif 000008
【図７】
2004172937.tif 000009